【手続補正書】
【提出日】平成16年9月28日(2004.9.28)
【手続補正１】
【補正対象書類名】明細書
【補正対象項目名】特許請求の範囲
【補正方法】変更
【補正の内容】
【特許請求の範囲】
【請求項１】
スリーブ部材と、前記スリーブ部材に対して相対的に回転自在である軸部材と、前記スリーブ部材と前記軸部材との間に充填された潤滑流体とを備えた動圧流体軸受において、前記軸部材は、軸部と、前記軸部から半径方向外方に突出するスラストプレート部とを有しており、前記スラストプレート部の外周面およびこの外周面と対向する前記スリーブ部材の内周面のいずれか一方または双方には、ラジアル荷重を支持するためのラジアル動圧発生手段が設けられており、前記スラストプレート部の少なくとも一方の軸方向端面およびこの端面と対向する前記スリーブ部材の内面のいずれか一方または双方には、スラスト荷重を支持するためのスラスト動圧発生手段が設けられており、
前記ラジアル動圧発生手段は、前記スラストプレート部の前記外周面に設けられ、前記スリーブ部材の前記内周面との間隔が小さいスライダ部と、前記スリーブ部材の前記内周面との間隔が大きいリセス部とを有し、前記スライダ部が前記潤滑流体を介してラジアル荷重を支持し、前記リセス部と前記スライダ部とが前記スラストプレート部の前記外周面に周方向に交互に設けられていることを特徴とする動圧流体軸受。
【請求項２】
前記ラジアル動圧発生手段の前記リセス部には、前記スリーブ部材の前記内周面との間隔が前記スライダ部に向けて漸減するテーパ面が形成されていることを特徴とする請求項１記載の動圧流体軸受。
【請求項３】
前記スラスト動圧発生手段は前記軸部材の前記スラストプレート部の軸方向両端面に設けられ、前記スリーブ部材の前記内面との間隔が大きいリセス部と前記スリーブ部材の前記内面との間隔が小さいスライダ部とを有し、前記スライダ部は、前記潤滑流体を介してスラスト荷重を支持するためのパッド部と、前記リセス部の前記潤滑流体を前記パッド部に導くためのステップ部を含んでいることを特徴とする請求項１または２記載の動圧流体軸受。
【請求項４】
前記スラスト動圧発生手段の前記スライダ部の前記ステップ部には、前記スリーブ部材の前記内面との間隔が前記パッド部に向けて漸減するテーパ面が形成されていることを特徴とする請求項３記載の動圧流体軸受。
【請求項５】
前記ラジアル動圧発生手段における前記リセス部および前記スライダ部は、前記スラスト動圧発生手段における前記リセス部および前記スライダ部とそれぞれ周方向に一致するように設けられ、前記ラジアル動圧発生手段の前記リセス部と前記スラスト動圧発生手段の前記リセス部とが連続していることを特徴とする請求項３または４記載の動圧流体軸受。
【請求項６】
スリーブ部材と、前記スリーブ部材に対して相対的に回転自在である軸部材と、前記スリーブ部材と前記軸部材との間に充填された潤滑流体とを備えた動圧流体軸受において、前記軸部材は、軸部と、前記軸部から半径方向外方に突出するスラストプレート部とを有しており、前記スラストプレート部の外周面およびこの外周面と対向する前記スリーブ部材の内周面のいずれか一方または双方には、ラジアル荷重を支持するためのラジアル動圧発生手段が設けられており、前記スラストプレート部の少なくとも一方の軸方向端面およびこの端面と対向する前記スリーブ部材の内面のいずれか一方または双方には、スラスト荷重を支持するためのスラスト動圧発生手段が設けられており、
前記ラジアル動圧発生手段は、前記スラストプレート部の前記外周面に設けられ、前記スリーブ部材の前記内周面との間隔が大きいリセス部と、前記リセス部から前記スリーブ部材の前記内周面に近接する方向にテーパ状に延び、前記潤滑流体を介してラジアル荷重を支持するためのテーパ部とを有し、前記リセス部と前記テーパ部とが前記スラストプレート部の前記外周面に周方向に交互に設けられていることを特徴とする動圧流体軸受。
【請求項７】
請求項１〜６のいずれかに記載の動圧流体軸受を備え、前記動圧流体軸受のスリーブ部材および軸部材のいずれか一方がロータに装着され、前記ロータにロータマグネットが装着されていることを特徴とするモータ。
【手続補正２】
【補正対象書類名】明細書
【補正対象項目名】０００９
【補正方法】変更
【補正の内容】
【０００９】
また請求項７記載の本発明は、請求項１〜６のいずれかに記載の動圧流体軸受を備え、前記動圧流体軸受のスリーブ部材および軸部材のいずれか一方がロータに装着され、前記ロータにロータマグネットが装着されていることを特徴とするモータモータである。
【手続補正３】
【補正対象書類名】明細書
【補正対象項目名】００１０
【補正方法】変更
【補正の内容】
【００１０】
本発明に従えば、モータは請求項１〜６のいずれかに記載の動圧流体軸受を備えているので、上述したと同様の作用が達成され、モータ全体の薄型化が達成される。また、軸部材のスラストプレート部の外径を比較的大きく設定するとともに、このスラストプレート部の端面とスリーブ部材の内面との間隔を非常に小さく設定することによって、スラスト動圧発生手段によって発生される潤滑流体の動圧でもってモータの回転剛性を得ることができ、軸部材の長さが短くても充分な回転剛性を確保することができる。さらに、ラジアル動圧発生手段がステップ形態またはテーパ形態の動圧発生手段から構成されているので、このラジアル動圧発生手段に関連して、モータの回転時の軸損を少なくすることができる。
【手続補正４】
【補正対象書類名】明細書
【補正対象項目名】００４６
【補正方法】変更
【補正の内容】
【００４６】
【発明の効果】
本発明の請求項１記載の動圧流体軸受によれば、軸部材のスラストプレート部の外周面およびこの外周面に対向するスリーブ部材の内周面の一方または双方にラジアル動圧発生手段が設けられ、このスラストプレート部の少なくとも一方の軸方向端面およびこの端面と対向するスリーブ部材の内面の一方または双方にスラスト動圧発生手段が設けられ、スラストプレート部に関連してラジアルおよびスラスト動圧発生手段が設けられている。それ故に、軸部材の軸線方向の長さを短くすることができ、これによって軸受自体の軸線方向の長さを小さくすることができる。また、スラストプレート部の外径を比較的大きく設定するとともに、このスラストプレート部の端面とスリーブ部材の内面との間隔を非常に小さく設定することによって、スラスト動圧発生手段によって発生される潤滑流体の動圧でもって軸受の回転剛性を得ることができ、軸部材の長さが短くても充分な回転剛性を確保することができる。さらに、ラジアル動圧発生手段がスリーブ部材の内周面との間隔が大きいリセス部とスリーブ部材の内周面との間隔が小さいスライダ部とを有しているので、リセス部においては潤滑流体による抵抗が小さくなり、したがってラジアル動圧発生手段に関連して、軸部材の回転時の軸損を小さくすることができる。
【手続補正５】
【補正対象書類名】明細書
【補正対象項目名】００４７
【補正方法】削除
【補正の内容】
【手続補正６】
【補正対象書類名】明細書
【補正対象項目名】００４８
【補正方法】変更
【補正の内容】
【００４８】
また、発明の請求項２の動圧流体軸受によれば、ラジアル動圧発生手段のリセス部にテーパ面が形成されているので、このリセス部の潤滑流体はテーパ面に沿ってスライダ部に向けて流動する間に圧力が上昇され、スライダ部において潤滑流体を介して軸部材を確実に支持することができる。
【手続補正７】
【補正対象書類名】明細書
【補正対象項目名】００４９
【補正方法】変更
【補正の内容】
【００４９】
また、本発明の請求項３の動圧流体軸受によれば、軸部材のスラストプレート部の軸方向両端面に設けられたスラスト動圧発生手段は、スリーブ部材の内面との間隔が大きいリセス部とスリーブ部材の内面との間隔が小さいスライダ部とを有しているので、リセス部においては潤滑流体による抵抗が小さくなり、したがってスラスト動圧発生手段に関連しても回転時の軸損を小さくすることができる。また、スラスト動圧発生手段のスライダ部は、パッド部とステップ部を有し、ステップ部はパッド部に向けて潤滑流体を導くので、パッド部における潤滑流体の圧力を高めることができる。
【手続補正８】
【補正対象書類名】明細書
【補正対象項目名】００５０
【補正方法】変更
【補正の内容】
【００５０】
また、本発明の請求項４の動圧流体軸受によれば、スラスト動圧発生手段のステップ部はテーパ面に形成されているので、ステップ部に沿ってパッド部に向けて流動する潤滑流体はかかるテーパ面に沿って流動する間にその圧力が充分に高められる。
【手続補正９】
【補正対象書類名】明細書
【補正対象項目名】００５１
【補正方法】変更
【補正の内容】
【００５１】
また、本発明の請求項５の動圧流体軸受によれば、ラジアル動圧発生手段のリセス部とスラスト動圧発生手段のリセス部とは周方向に一致して連続しているので、これらリセス部内の潤滑流体はリセス部を通して容易に流動することができ、したがって潤滑流体が局部的に不足するのを回避することができる。
【手続補正１０】
【補正対象書類名】明細書
【補正対象項目名】００５２
【補正方法】変更
【補正の内容】
【００５２】
また、本発明の請求項６の動圧流体軸受によれば、軸部材のスラストプレート部の外周面およびこの外周面に対向するスリーブ部材の内周面の一方または双方にラジアル動圧発生手段が設けられ、このスラストプレート部の少なくとも一方の軸方向端面およびこの端面と対向するスリーブ部材の内面の一方または双方にスラスト動圧発生手段が設けられ、スラストプレート部に関連してラジアルおよびスラスト動圧発生手段が設けられている。それ故に、軸部材の軸線方向の長さを短くすることができ、これによって軸受自体の軸線方向の長さを小さくすることができる。また、スラストプレート部の外径を比較的大きく設定するとともに、このスラストプレート部の端面とスリーブ部材の内面との間隔を非常に小さく設定することによって、スラスト動圧発生手段によって発生される潤滑流体の動圧でもって軸受の回転剛性を得ることができ、軸部材の長さが短くても充分な回転剛性を確保することができる。さらに、ラジアル動圧発生手段はスリーブ部材の内周面との間隔が大きいリセス部とこのリセス部からスリーブ部材の内周面に近接する方向にテーパ状に延びるテーパ部とを有しているので、リセス部においては潤滑流体による抵抗が小さくなり、したがってラジアル動圧発生手段に関連して、軸部材の回転時の軸損を小さくすることができる。また、リセス部の潤滑流体はテーパ部に沿って流動する間に圧力が高められ、したがってテーパ部において潤滑流体を介して軸部材を確実に支持することができる。
【手続補正１１】
【補正対象書類名】明細書
【補正対象項目名】００５３
【補正方法】変更
【補正の内容】
【００５３】
さらに本発明の請求項７のモータによれば、請求項１〜６のいずれかに記載の動圧流体軸受を備えているので、モータとして上述したと同様の効果を達成される。